(57)【要約】【課題】ピッキング対象物やピッキング位置と、対象物を収容すべき籠との関係が判りやすくなり、ピッキング作業の効率を向上させることができる技術を提供する。【解決手段】ピッキング対象物を格納する場所の周辺を移動するカート本体１と、このカート本体１に搭載されてピッキング対象物を収納する複数の籠２と、複数の籠２の近傍にそれぞれ対応して配置された表示器３と、カート本体１がピッキング作業位置に到達したことを検出する位置検出部４とを備える。表示器３は、カート本体１がピッキング作業位置に到達すると、対応する籠２についての、ピッキング作業位置におけるピッキングデータの内容を表示する。【選択図】図１
2020033167.tif 000002
【特許請求の範囲】
【請求項１】
ピッキング対象物を格納する場所の周辺を移動するカート本体と、このカート本体に搭載されてピッキング対象物を収納する複数の籠と、前記複数の籠の近傍にそれぞれ対応して配置された表示器と、前記カート本体がピッキング作業位置に到達したことを検出する位置検出部とを備えており、
前記表示器は、前記カート本体がピッキング作業位置に到達すると、対応する籠についての、前記ピッキング作業位置におけるピッキングデータの内容を表示する構成となっている
ことを特徴とするピッキングカート。
【請求項２】
前記位置検出部は、前記カート本体の周辺の画像を撮影する第１カメラを備えており、
さらに、前記位置検出部は、前記第１カメラで取得した画像に基づいて前記カート本体の位置の検出を行う構成となっている
請求項１に記載のピッキングカート。
【請求項３】
さらに制御部と駆動部とを備えており、
前記制御部は、前記カート本体の停止位置において、前記カート本体に搭載された全ての籠に対応するピッキングが完了したことを判定した後、前記駆動部により次の停止位置に前記カート本体を移動させる構成となっている
請求項１又は２に記載のピッキングカート。
【請求項４】
さらに発光部を備えており、
前記発光部は、前記カート本体の停止位置において、前記ピッキング対象物又は前記ピッキング対象物の格納位置に向けて発光する構成となっている
請求項１〜３のいずれか１項に記載のピッキングカート。
【請求項５】
さらに照射位置補正部を備えており、
前記照射位置補正部は、前記カート本体が停止位置に停止するたびに、前記発光部からの発光方向を補正する構成となっている
請求項４に記載のピッキングカート。
【請求項６】
前記照射位置補正部は、前記ピッキング対象物の格納位置情報の画像を取得する第２カメラを備えており、
前記照射位置補正部は、前記第２カメラで撮影した画像に基づいて前記発光方向を補正する構成となっている
請求項５に記載のピッキングカート。
【請求項７】
前記照射位置補正部は、前記カート本体の水平位置を補正するためのジャイロを備えている
請求項５又は６に記載のピッキングカート。
【請求項８】
前記制御部は、全ての前記籠についてのピッキング作業が終了した後、前記駆動部により、籠の払い出し位置に前記カート本体を移動させ、その後、ピッキング作業準備開始用のホームポジションに前記カート本体を移動させる構成となっている
請求項３に記載のピッキングカート。
【発明の詳細な説明】
【技術分野】
【０００１】
本発明は、対象物の取出し又は仕分けを行うためのピッキングに用いられるピッキングカートに関するものである。
【背景技術】
【０００２】
下記特許文献１には、商品の仕分けシステムにおいて用いられる自走式カートが記載されている。この自走式カートは表示器を有しており、自走式カートが所定の棚の前に停止した後、この表示器によって、棚位置と商品名とを作業者に呈示するようになっている。
【０００３】
しかしながら、カートが複数の籠を有する場合は、表示器の表示と籠との対応がわかりにくくなってしまう。実際には、１回の停止位置において、一つの棚から複数の籠に商品を入れる場合や、複数の棚から一つの籠に商品を入れる場合など、様々な状況が生じうる。このような複雑な状況においても、作業者が、効率よくかつ誤りなくピッキングを行うことが必要である。
【先行技術文献】
【特許文献】
【０００４】
【特許文献１】特開平１１−３２２０２７号公報
【発明の概要】
【発明が解決しようとする課題】
【０００５】
本発明は、前記した状況に鑑みてなされたものである。本発明の主な目的は、ピッキング対象物やピッキング位置と、対象物を収容すべき籠との関係が判りやすくなり、ピッキング作業の効率を向上させることができる技術を提供することである。
【課題を解決するための手段】
【０００６】
本発明は、以下の項目に記載の発明として表現することができる。
【０００７】
（項目１）
ピッキング対象物を格納する場所の周辺を移動するカート本体と、このカート本体に搭載されてピッキング対象物を収納する複数の籠と、前記複数の籠の近傍にそれぞれ対応して配置された表示器と、前記カート本体がピッキング作業位置に到達したことを検出する位置検出部とを備えており、
前記表示器は、前記カート本体がピッキング作業位置に到達すると、対応する籠についての、前記ピッキング作業位置におけるピッキングデータの内容を表示する構成となっている
ことを特徴とするピッキングカート。
【０００８】
（項目２）
前記位置検出部は、前記カート本体の周辺の画像を撮影する第１カメラを備えており、
さらに、前記位置検出部は、前記第１カメラで取得した画像に基づいて前記カート本体の位置の検出を行う構成となっている
項目１に記載のピッキングカート。
【０００９】
（項目３）
さらに制御部と駆動部とを備えており、
前記制御部は、前記カート本体の停止位置において、前記カート本体に搭載された全ての籠に対応するピッキングが完了したことを判定した後、前記駆動部により次の停止位置に前記カート本体を移動させる構成となっている
項目１又は２に記載のピッキングカート。
【００１０】
（項目４）
さらに発光部を備えており、
前記発光部は、前記カート本体の停止位置において、前記ピッキング対象物又は前記ピッキング対象物の格納位置に向けて発光する構成となっている
項目１〜３のいずれか１項に記載のピッキングカート。
【００１１】
（項目５）
さらに照射位置補正部を備えており、
前記照射位置補正部は、前記カート本体が停止位置に停止するたびに、前記発光部からの発光方向を補正する構成となっている
項目４に記載のピッキングカート。
【００１２】
（項目６）
前記照射位置補正部は、前記ピッキング対象物の格納位置情報の画像を取得する第２カメラを備えており、
前記照射位置補正部は、前記第２カメラで撮影した画像に基づいて前記発光方向を補正する構成となっている
項目５に記載のピッキングカート。
【００１３】
（項目７）
前記照射位置補正部は、前記カート本体の水平位置を補正するためのジャイロを備えている
項目５又は６に記載のピッキングカート。
【００１４】
（項目８）
前記制御部は、全ての前記籠についてのピッキング作業が終了した後、前記駆動部により、籠の払い出し位置に前記カート本体を移動させ、その後、ピッキング作業準備開始用のホームポジションに前記カート本体を移動させる構成となっている
項目３に記載のピッキングカート。
【発明の効果】
【００１５】
本発明のピッキングカートによれば、ピッキング対象物やピッキング位置と、対象物を収容すべき籠との関係を作業者が容易に理解することができる。したがって、本発明によれば、ピッキング作業の効率を向上させることが可能になる。
【図面の簡単な説明】
【００１６】
【図１】本発明の一実施形態に係るピッキングカートの概略的な構成を示すためのブロック図である。
【図２】図１のピッキングカートの概略的な説明図である。
【図３】図１のピッキングカートの動作を説明するための説明図である。
【図４】図１のピッキングカートの動作を説明するためのフローチャートである。
【図５】ピッキングデータの一例を示す説明図である。
【図６】製品データ構成の一例を示す説明図である。
【図７】カート走行経路シークエンスの一例を示す説明図である。
【図８】カート走行経路の一例を示す説明図である。
【図９】表示器に表示されるデータの一例を示す説明図である。
【発明を実施するための形態】
【００１７】
以下、添付図面を参照しながら、本発明の一実施形態に係るピッキングカート（以下単に「カート」と略称することがある）について説明する。以下の実施形態では、対象物の取り出しを行うためのシステムを前提として説明する。ただし、本発明のカートを、対象物の仕分け用のシステムにおいて用いることは可能である。
【００１８】
（本実施形態の構成）
本実施形態のピッキングカートは、ピッキング対象物を格納する場所の周辺を移動するカート本体１と、このカート本体１に搭載されてピッキング対象物を収納する複数の籠２と、複数の籠２の近傍にそれぞれ対応して配置された表示器３と、カート本体１がピッキング作業位置に到達したことを検出する位置検出部４とを主要な構成として備えている（図１及び図２参照）。さらに、本実施形態のピッキングカートは、入力部５と、制御部６と、駆動部７と、発光部８と、照射位置補正部９とを追加的な要素として備えている。
【００１９】
（カート本体）
カート本体１は、複数の籠２を多段で搭載できるラック１１を備えている（図２参照）。具体的には、ラック１１は、６個の籠２を縦３段×横２列で搭載できるようになっている。カート本体１としては、手押し式でもよいが、本実施形態では、駆動部７により駆動される自走式のものとなっている。
【００２０】
（籠）
籠２は、上方が開口しており、作業者がピッキング対象物を容易に出し入れすることができるように構成されている。このような籠２としては、従来のピッキング作業に用いられるものと同様でよいので、詳しい説明は省略する。
【００２１】
（表示器）
表示器３は、カート本体１のラック１１において、それぞれの籠２の近傍に設置されている（図２参照）。表示器３は、カート本体１がピッキング作業位置に到達すると、対応する籠２についての、ピッキング作業位置におけるピッキングデータの内容を表示する構成となっている。表示器３としては、例えばＬＥＤや液晶や電子ペーパーを用いた表示器を用いることができるが、これには制約されない。
【００２２】
表示器３は、ピッキング終了ボタン３１を備えている（図２参照）。ピッキング終了ボタン３１は、作業者がピッキング作業終了時に押し下げることによって、表示器３の表示を消すことができるようになっている。
【００２３】
（位置検出部）
位置検出部４は、カート本体１の周辺の画像を撮影する第１カメラ４１を備えている。位置検出部４は、第１カメラ４１で取得した画像に基づいてカート本体１の位置の検出を行う構成となっている。
【００２４】
（入力部）
入力部５は、システム側から制御部６へのデータを受け取ることができる機能要素であり、例えば、無線ＬＡＮを介してシステム側と通信できる通信機器が用いられている。
【００２５】
（制御部）
制御部６は、カート本体１の停止位置において、カート本体１に搭載された全ての籠に対応するピッキングが完了したことを判定した後、駆動部７により次の停止位置にカート本体を移動させる構成となっている。
【００２６】
本実施形態の制御部６は、全ての籠２についてのピッキング作業が終了した後、駆動部７により、籠２の払い出し位置にカート本体１を移動させ、その後、ピッキング作業準備開始用のホームポジションにカート本体１を移動させる構成となっている。制御部６は、例えば、適宜なメモリと、ＣＰＵと、入出力インタフェースとを備えた構成とされている。
【００２７】
（駆動部）
駆動部７は、制御部６の指令に基づき、カート本体１を所定の位置及び方向に走行させる構成となっている。具体的には、駆動部７は、車輪、モーター（図示せず）、バッテリー（図示せず）、操舵機構（図示せず）など、カート本体１の走行に必要な構成を備えている。駆動部７は、障害物を検知して自動的に停止する機能を備えることが望ましい。
【００２８】
（発光部）
発光部８は、カート本体１の適宜な個所に取り付けられており、カート本体１の停止位置において、ピッキング対象物又はピッキング対象物の格納位置に向けて発光する構成となっている（図３参照）。発光部８としては、例えばレーザやＬＥＤを用いることができる。発光部８は、制御部６からの指令に基づいて、対象物が収納されているはずの棚位置に向けて光を照射できるようになっている。発光部８は、制御部によって制御可能な適宜な光学系を用いて、光の照射方向を変更できるようになっている。
【００２９】
（照射位置補正部）
照射位置補正部９は、カート本体１が停止位置に停止するたびに、発光部８からの発光方向を補正する構成となっている。
【００３０】
本実施形態の照射位置補正部９は、ピッキング対象物の格納位置情報の画像を取得する第２カメラ９１を備えている（図３参照）。照射位置補正部９は、第２カメラ９１で撮影した画像に基づいて発光方向を補正する構成となっている。第2カメラ９１の画角を、図３において符号９１１で示している。
【００３１】
さらに、照射位置補正部９は、カート本体１の水平位置を補正するためのジャイロを備えている。
【００３２】
前記した各要素についてのさらに詳しい構成は、後述のピッキングカートの動作として後述する。
【００３３】
（本実施形態におけるピッキングカートの動作）
次に、図４〜図８をさらに参照して、本実施形態におけるピッキングカートの動作について説明する。
【００３４】
（図３のステップＳＡ−１）
まず、カート本体１の制御部６にピッキングデータを記憶させる。ホスト側から制御部６への、ピッキングデータの転送は、例えば無線ＬＡＮを用いて、入力部５を介して行うことができる。
【００３５】
図５にピッキングデータの例を示す。このピッキングデータ１００は、籠を特定するための籠ＩＤ１１０と、各籠に対応する（つまりピッキング対象の）製品データ１２０とを備える。この例では、各籠について、ｎ個のピッキングデータ（つまりｎ個のピッキング対象物）を示しているが、各籠に対応するピッキング対象物の個数は異なっていてもよく、一つだけであってもよい。
【００３６】
図６に、一つの製品データ１２０の構成例を示す。この製品データ１２０は、製品データＩＤ（αｍ）と、製品番号と、製品名と、製品アドレスと、ピッキング数量とを備えている。ここで製品データＩＤにおけるαは任意の籠を表し、ｍは当該籠に収納されるべき製品データを示す。製品アドレスは、製品が収納された棚位置を示しており、一般には（Ｘ，Ｙ，Ｚ）の三次元情報としてあらわされる。ここでＸ，Ｙはフロアの平面情報、Ｚは棚の高さ情報に対応する。
【００３７】
複数のカートが並行に走行する場合、ピッキングデータは、カートごとに転送される。
【００３８】
（図３のステップＳＡ−２）
ついで、制御部６は、受信したピッキングデータ１００に基づいて、当該カート本体１の走行経路を生成する。具体的には、制御部６は、ピッキングデータ１００に含まれる製品データ１２０の製品アドレスを用いて、棚アドレスを生成する。本実施形態における棚アドレスは、フロア平面における二次元座標（Ｘ，Ｙ）である。ついで、制御部６は、あらかじめ想定されるカート経路に沿うように、棚アドレスを整列させる。
【００３９】
棚アドレスを整列させた例を、カート走行経路シークエンス２００として図７に示す。ここで（Ｘ１，Ｙ１）、（Ｘ２，Ｙ２）…（Ｘｎ，Ｙｎ）とあるのは、それぞれの棚アドレスである。後述するように、カート本体１は、これらの棚アドレスの位置に順次停止することになる。棚アドレスの添え字は停止順序を示す。ここで、二つの棚アドレス間の距離が閾値よりも近い場合には、カート本体１の頻繁な走行／停止を避けるため、両アドレス間の中間位置を代替的な棚アドレスとすることもできる。
【００４０】
生成された走行経路３００の例を図８に示す。ここで走行経路３００は、複数の棚１０の間を縫って走行するように設定されている。また、走行経路３００には、籠搭載位置３１０と、払出し位置３２０と、ホームポジション３３０が設定されているものとする。
【００４１】
（図３のステップＳＡ−３）
まず、籠搭載位置３１０において、所定数（本例では６個）の空の籠２をカート本体１に搭載する（図２参照）。ついで、カート本体１をホームポジション３３０に配置する。
【００４２】
（図３のステップＳＡ−４）
ついで、制御部６からの指令により駆動部７を動作させて、走行経路３００に沿ってカート本体１を走行させる。ここで、カート本体１に搭載された位置検出部４は、第１カメラ４１によりカート本体１の周囲の画像を取得し、得られた画像に基づいてカート本体１の位置を常時検出している。画像に基づく位置検出の手法としては、例えば、床面や天井や棚などの構造物に設置された複数のマーカの画像に基づいて位置を検出する手法など、種々のものを使用可能である。
【００４３】
（図３のステップＳＡ−５）
位置検出部４により検出された位置が、カート走行経路シークエンス２００において指定された位置、すなわち、次に停止すべき棚アドレス（Ｘｉ，Ｙｉ）に一致したとする。すると、制御部６は、位置検出部４からの検出信号に基づいて、駆動部７に指令を発し、カート本体１の走行を停止させる。
【００４４】
（図３のステップＳＡ−６〜ＳＡ−７）
カート本体１が停止すると、制御部６は、当該停止位置（すなわち棚アドレス）に対応する製品アドレスをすべて検索する。この検索は、製品アドレスが棚アドレスを含むことから、容易に実行可能である。次いで、制御部６は、当該製品アドレスに対応する製品データ１２０から、製品名と製品アドレスと数量とを表示用データとして抽出する。図９は、そのようにして抽出された表示用データの一例である。この表示用データ４００においてＡ〜Ｆは、一つのカートに搭載された各籠を示しており、ａｍ〜ｆｍは各籠に収納されるべき製品についての製品データを示している。ここでｍは製品データを区別するための任意の自然数を示す添え字である。
【００４５】
ここで、ある棚アドレスにおいてａｍ〜ｆｍの製品データに示される製品がピッキング対象であったとする。このとき、制御部６は、適宜の順で、いずれかの籠２に対応する一つの製品データを特定し、当該製品データにおける製品名、製品アドレス、ピッキング数量を、当該籠２の近傍にある一つの表示器３に表示する。このとき、表示器３における表示を点滅表示とすると、作業者の注意を惹きやすいので好ましい。これにより作業者は、ピッキング対象物の位置や数量を容易に知ることができる。
【００４６】
また、表示器３による表示と同時に又は前後して、制御部６は、製品アドレスによって特定される位置に向けて、発光部８により光（例えばレーザ光）を照射する（図３参照）。これにより、作業者は、製品の位置をより確実に知ることができる。具体的には、発光部８は、製品が格納されたポケット１０１の下側の仕切り部１０２に向けて光を照射するようになっている。製品アドレスと光照射方向との関係は予め校正されているものとする。
【００４７】
さらに、本実施形態では、照射位置補正部９の第２カメラ９１により、光の照射方向の画像を取得する。ついで、照射位置補正部９は、発光部８による光の照射位置を、色や光の点滅パターンなどの適宜の情報を用いて特定する。ついで、照射位置補正部９は、特定された照射位置と製品アドレスによって特定される位置とを照合し、不整合があれば、発光部８における光の照射方向を、製品アドレスに整合するように修正する。これにより、本実施形態では、正しい方向に光を照射することができ、ピッキング作業の効率を向上させることができるという利点がある。製品アドレスと光照射方向との関係が所期状態において構成済みであったとしても、走行位置検出の誤差などの種々の要因により、光照射方向が本来あるべき方向からずれることがある。本実施形態では、このようなずれを修正することができる。また、照射位置補正部９に備えられたジャイロを用いることにより、光照射方向の修正をより精度よく行うこともできる。
【００４８】
（図３のステップＳＡ−８〜ＳＡ−９）
次いで、作業者は、表示器３により指定された数量の製品を、棚１０から取り出して、対応する籠２に収納する。ここで、本実施形態では、各籠２に対応して表示器３を設置したので、製品を収納すべき籠２の特定が容易となり、作業効率を向上させることができる。ついで、作業者は、籠２に製品を収納した後、当該表示器３のピッキング終了ボタン３１を押し下げる。これにより、表示器３における表示を消すことができる。また、制御部６は、当該表示器３に示された製品のピッキング終了を知ることができる。
【００４９】
（図３のステップＳＡ−１０〜ＳＡ−１１）
ついで、制御部６は、当該棚アドレス（つまり同じ停止位置）におけるピッキング対象物が他にあるかどうかを確認し、他にあれば、前記ステップＳＡ−６以降の作業を繰り返す。
【００５０】
例えば、同じ籠２において、異なる製品アドレスに収納された製品を収容するときは、発光部８による光の照射位置を変更する。他の動作は前記したステップと同様である。
【００５１】
また、同じ停止位置において、異なる籠２に、同じ製品アドレスの製品を収納することもある。この場合は、発光部８による光の照射位置を変更せず、表示器３の表示のみを変更することなる。
【００５２】
（図３のステップＳＡ−１２〜ＳＡ−１３）
同じ停止位置におけるピッキング対象物がないときは、制御部６は、カート走行経路シークエンス２００を参照し、駆動部７により、カート本体１を次の停止位置（Ｘｉ＋１，Ｙｉ＋１）に移動させる。ついで、全てのピッキング工程が終了するまで、前記したステップＳＡ−５以降の動作を繰り返す。
【００５３】
（図３のステップＳＡ−１４）
カート走行経路シークエンス２００に示された全ての停止位置でのピッキング作業を完了したことを判定した後、制御部６は、払出し位置３２０（図８参照）にカート本体１を移動させる。払出し位置３２０では、作業者が全ての籠２を取り出す。取り出された籠２は、適宜な手段により次工程に移送される。籠２の取り出し作業が完了した後、作業者は、入力部５などの適宜の入力手段（図示せず）により、制御部６にそのことを通知する。
【００５４】
（図３のステップＳＡ−１５）
ついで、制御部６は、籠搭載位置３１０にカート本体１を移動させる。籠搭載位置３１０では、前記と同様に、所定数の空の籠２を作業者がカート本体１に搭載する。さらに、制御部６は、籠２が搭載されたカート本体１をホームポジション３３０に移動させる。以降の動作は、前記したステップＳＡ−４以降と同様である。
【００５５】
本実施形態によれば、カート本体１が自走式となっているので、作業者がカート本体１に帯同する必要がなく、所定個所に待機していればピッキングを行うことができる。したがって、作業者への負担を軽減することができる。
【００５６】
また、本実施形態によれば、既存の棚収納システムへの適用が容易であるという利点もある。
【００５７】
なお、前記実施形態の記載は単なる一例に過ぎず、本発明に必須の構成を示したものではない。各部の構成は、本発明の趣旨を達成できるものであれば、上記に限らない。
【００５８】
例えば、前記した実施形態では、位置検出部４として、カメラ画像によりカート位置を判定する構成としたが、それに代えて、あるいはそれに追加して、ＧＰＳ（グローバルポジショニングシステム）の受信により測位することにより、又は、経路に沿って取り付けらた磁気テープやバーコードやＲＦＩＤなどの情報を読み取ることによりカート位置を判定する構成であってもよい。
【００５９】
また、前記の説明では、１台のカートを例にしたが、複数台のカートが並行して走行するシステムとすることもできる。
【００６０】
さらに、前記の説明では、カートを自走式としたが、手動式とすることもできる。
【００６１】
また、前記の説明では、ピッキングの一例として、対象物の取り出し作業について説明したが、対象物を仕分ける作業に本発明のカートを用いることもできる。この場合は、籠に収納された製品を各棚（あるいは仕分け先の搬送器具など）に分配することになる。
【００６２】
前記した各構成要素は、機能ブロックとして存在していればよく、独立したハードウエアとして存在しなくても良い。また、実装方法としては、ハードウエアを用いてもコンピュータソフトウエアを用いても良い。さらに、本発明における一つの機能要素が複数の機能要素の集合によって実現されても良く、本発明における複数の機能要素が一つの機能要素により実現されても良い。さらに、機能要素は、物理的に離間した位置に配置されていてもよい。この場合、機能要素どうしがネットワークにより接続されていても良い。グリッドコンピューティング又はクラウドコンピューティングにより機能を実現し、あるいは機能要素を構成することも可能である。
【００６３】
例えば、前記した位置検出部と制御部と照射位置補正部とを一つのコンピュータとそれに接続された外部カメラにより構成することもできるし、ネットワークに接続された外部機器（例えばサーバ）によりこれらの機能の一部または全部を代替することもできる。
【００６４】
また、前記した第１カメラと第２カメラの機能を一つのカメラにより発揮することもできる。つまり、例えば、第１カメラに第２カメラの機能を実装することにより、カート本体１に搭載するカメラの台数を減らすことができる。
【符号の説明】
【００６５】
１  カート本体
１１  ラック
２  籠
３  表示器
３１  ピッキング終了ボタン
４  位置検出部
４１  第１カメラ
５  入力部
６  制御部
７  駆動部
８  発光部
９  照射位置補正部
９１  第２カメラ
１０  棚
１０１  ポケット
１０２  仕切り部
１００  ピッキングデータ
１１０  籠ＩＤ
１２０  製品データ
２００  カート走行経路シークエンス
３００  走行経路
３１０  籠搭載位置
３２０  払出し位置
３３０  ホームポジション
４００  表示用データ
【図１】
2020033167.tif 000003
【図２】
2020033167.tif 000004
【図３】
2020033167.tif 000005
【図４】
2020033167.tif 000006
【図５】
2020033167.tif 000007
【図６】
2020033167.tif 000008
【図７】
2020033167.tif 000009
【図８】
2020033167.tif 000010
【図９】
2020033167.tif 000011